(57)【要約】【課題】入力手段に圧力センサーを用いたタッチパネルをもつ携帯型の情報処理装置に付属した入力用ペン（タッチペン）の収納位置に関して、右利きのユーザには操作は容易であるが、左利きのユーザには大変使い辛い配置になっている。【解決手段】入力装置としてタッチパネル機能を備えた情報処理装置であって、情報処理装置１１の表示部１４を正面として情報処理装置１１の左右両側面にタッチパネルのタッチペン１２の収納部１５を備えたものであり、タッチペン１２の収納部１５をノートパソコン本体１３の左右両側面に配置することで、右利き、左利きどちらのユーザにとってもタッチペンの取り出し、収納がし易くなる。【選択図】図１
2007127736.tif 000002
【特許請求の範囲】
【請求項１】
入力装置としてタッチパネル機能を備えた情報処理装置であって、
前記情報処理装置の表示部を正面として当該情報処理装置の左右両側面に前記タッチパネルの入力用ペンの収納部を備えたことを特徴とする情報処理装置。
【請求項２】
請求項１記載の情報処理装置の製造後、２本の入力用ペンを左右両側面の前記入力用ペン収納部それぞれに収納して出荷することを特徴とする情報処理装置の製造方法。
【発明の詳細な説明】
【技術分野】
【０００１】
本発明は、入力装置に圧力センサーを用いたタッチパネルをもつ携帯型の情報処理装置に付属した入力用ペン（以下タッチペン）の収納に関するものである。
【背景技術】
【０００２】
近年、もち運びに便利なノート型パソコンやＰＤＡ（Ｐｅｒｓｏｎａｌ  Ｄｉｇｉｔａｌ  Ａｓｓｉｓｔａｎｃｅ）のような携帯型情報処理装置（以下、代表してノートパソコン）が広く普及している。その携帯性ゆえ入力装置であるキーボード、マウスに代わり、表示部と兼用して圧力センサーを用いたタッチパネルを入力装置としたものも多い。
【０００３】
また、入力装置としてキーボード、マウスやマウスパッドは機能として備えるが、表示部にはタッチパネルの機能も備えた携帯型情報処理装置も商品化されている。ユーザはタッチパネル上の入力操作をする位置を指で触れても良いが、一般には表示部兼用のタッチパネルの入力操作位置は大変狭い範囲を指示する場合が多いため、付属された先が細くて尖ったタッチペンを使って入力作業をするほうが入力操作ミスが少なく便利である。
【特許文献１】特開平５−３３３９８２号公報
【発明の開示】
【発明が解決しようとする課題】
【０００４】
携帯型情報処理装置であっても、ノートパソコンの様なＰＤＡに比較してサイズの大きいものは上記したタッチペンを収納する部分を筐体内に差し込むようにして設けたほうがユーザの利便性は高い。このようにすることでユーザはタッチペンを別途持ち歩く必要はなく、また、筐体内に収納するので外観的にも好ましい。
【０００５】
図４は従来のノートパソコンとタッチペンを示した図である。（キーボードのキーを、一部を除いて省略して記載している。）
図４において１１はノートパソコン、１２はタッチペンであり、破線矢印方向にタッチペン１２をノートパソコン本体１３に尖った方つまりペン先Ａより挿入して収納する。ノートパソコン１１の本体１３、表示部１４とユーザとを対面した場合、右側、つまり右手での収納操作となる。取り出す場合もタッチペン１２の後方（尖っていない方：Ｂ）を一旦押し込むと引き出しやすい機構になっており、やはりこの操作も右手での取り出し操作となる。
【０００６】
しかしながら上記の従来の構成では、右利きのユーザには操作は容易であるが、左利きのユーザには大変使い辛い配置になっている。タッチペン１２をユーザが取り出す、または収納する場合に、その収納場所が図のようにノートパソコン本体１３の底に近い部分であれば、のぞき込まずに手探りでその位置を確かめ取り出し、収納する場合が多い。しかし、左利きのユーザにはこれに慣れないとタッチペンによる操作自体が煩わしくなり、結局指による操作の方が便利で、タッチペンは無用のものになりかねない。
【０００７】
本発明は上記従来の問題点を解決するもので、右利き、左利きのユーザ両方に利便性のあるタッチペンを付属した携帯型の情報処理装置（ノートパソコン）を提供することを目的とする。
【課題を解決するための手段】
【０００８】
本発明の請求項１に記載の発明は、
入力装置としてタッチパネル機能を備えた情報処理装置であって、前記情報処理装置の表示部を正面として当該情報処理装置の左右両側面に前記タッチパネルの入力用ペンの収納部を備えたことを特徴とする情報処理装置としたものであり、
タッチペンの収納部をノートパソコン本体の左右両側面に配置することで、右利き、左利きどちらのユーザにとってもタッチペンの取り出し、収納がし易くなるという作用を有する。
【発明の効果】
【０００９】
以上のように本発明は、タッチペンの収納部をノートパソコン本体の左右両側面に配置することで、右利き、左利きどちらのユーザにとってもタッチペンの取り出し、収納がし易くなるという優れた効果が得られる。
【発明を実施するための最良の形態】
【００１０】
以下、本発明の実施の形態について、図１から図３を用いて説明する。
【００１１】
（実施の形態１）
図１は本発明の表示部側から見たノートパソコンとタッチペンを示した図である。（キーボードのキーを、一部を除いて省略して記載している。）
図２は本発明の背面側から見たノートパソコンとタッチペンを示した図である。
【００１２】
図３は本発明のノートパソコンのタッチペン収納部分の拡大図である。
【００１３】
図１〜図３において１１はノートパソコン、１２はタッチペンであり、破線矢印方向にタッチペン１２をノートパソコン本体１３に尖った方つまりペン先Ａより挿入して収納する。１３はノートパソコン１１の本体、１４はその表示部である。１５はタッチペン１２の収納部と挿入口であり、表示部１４を正面としてノートパソコン本体１３の底部近くの左右両側面に配置されている。
【００１４】
以上のように構成された本発明のノートパソコンについて、図１〜図３を用いてその動作を説明する。
【００１５】
ノートパソコン１１の本体１３、表示部１４とユーザとを対面した場合、図４では右側にのみタッチペン１２の収納部１５があったので、右側、つまり右手での収納操作となる。本実施の形態ではノートパソコン本体１３の左右両側面に収納部を配置したので右利き、左利きどちらのユーザにとってもタッチペンの取り出し、収納がし易い。収納部１５の挿入口がノートパソコン本体１３の底部に近い部分に配置しているので、のぞき込まずに手探りでその位置を確かめ取り出し、収納することになるが、これも利き手に関係なくさらに容易になる。
【００１６】
また、ノートパソコンの製品出荷時にはタッチペン１２を２本それぞれ左右２箇所ある収納部に収納して出荷すれば、これによりユーザにはタッチペンの一方を常時使用し、他方はタッチペンを紛失、または破損したときの予備として使用できる。また、製造者には予備のタッチペンを付属する場合、別途包装して同梱する必要がないので、ユーザ、製造者のどちらにとっても利便性がある。
【００１７】
以上のように本実施の形態によれば、タッチペン１２の収納部をノートパソコン本体１３の左右両側面に配置することで、右利き、左利きどちらのユーザにとってもタッチペン１２の取り出し、収納がし易くなる。
【００１８】
なお、以上の説明では収納部１５の挿入口がノートパソコン本体１３の底部に近い部分に配置するとした。また、図ではノートパソコン本体１３の表示部１４に近い後方に配置しているが、ノートパソコン本体１３内部の構成によってはユーザが取り出し易い、前方両側に配置しても良いし、スペースが確保できれば表示部１４の左右両側面より取り出し、収納ができるようにしても良い。
【産業上の利用可能性】
【００１９】
本発明にかかる情報処理装置はタッチペンの収納部をノートパソコン本体の左右両側面に配置することで、右利き、左利きどちらのユーザにとってもタッチペンの取り出し、収納がし易くなるという効果を有し、入力手段に圧力センサーを用いたタッチパネルをもつ携帯型の情報処理装置に付属したタッチペン（入力用ペン）の収納等として有用である。
【図面の簡単な説明】
【００２０】
【図１】本発明の表示部側から見たノートパソコンとタッチペンを示した図
【図２】本発明の背面側から見たノートパソコンとタッチペンを示した図
【図３】本発明のノートパソコンのタッチペン収納部分の拡大図
【図４】従来のノートパソコンとタッチペンを示した図
【符号の説明】
【００２１】
１１  ノートパソコン
１２  タッチペン（入力用ペン）
１３  ノートパソコン本体
１４  表示部
１５  タッチペンの収納部と挿入口
【図１】
2007127736.tif 000003
【図２】
2007127736.tif 000004
【図３】
2007127736.tif 000005
【図４】
2007127736.tif 000006